(57)【要約】【課題】通信方式を容易に切替えることの可能な情報記憶媒体用リーダライタを提供する。【解決手段】自動販売機１の主制御部１ａとの間で情報の送受信が可能に設けられ、非接触ＩＣカード２０に記憶された電子マネー残高を読み書きすることにより電子マネーの決済処理を行う情報記憶媒体用リーダライタ１０において、第１の通信方式を用いて通信を行うことを表す第１の通信方式情報２２１を主制御部１ａに送信した後に、主制御部１ａが第１の通信方式を用いて通信可能であるか否かを主制御部１ａからの応答に基づき判別し、通信不可と判別した場合に通信方式を第２の通信方式に切替える制御部２３０を備えた。【選択図】図２
2010122726.tif 000002
【特許請求の範囲】
【請求項１】
自動販売機の主制御部との間で情報の送受信が可能に設けられ、所定の情報記憶媒体に記憶された電子マネー残高を読み書きすることにより電子マネーの決済処理を行う情報記憶媒体用リーダライタにおいて、
所定の通信方式を用いて通信を行うことを表す通信方式情報を主制御部に送信した後に、前記主制御部が該通信方式を用いて通信可能であるか否かを主制御部からの応答に基づき判別し、通信不可と判別した場合に通信方式を他の通信方式に切替える制御部を備えた
ことを特徴とする情報記憶媒体用リーダライタ。
【請求項２】
前記制御部は、電源が投入されると、前記通信方式情報を主制御部に送信する
ことを特徴とする請求項１記載の情報記憶媒体用リーダライタ。
【請求項３】
前記制御部は、前記通信方式情報を送信した後所定時間内に主制御部からの応答が無い場合に、通信方式を前記他の通信方式に切替える
ことを特徴とする請求項１または２記載の情報記憶媒体用リーダライタ。
【請求項４】
前記制御部と主制御部の間の通信に用いられている通信方式を表示する表示部を備えた
ことを特徴とする請求項１、２または３記載の情報記憶媒体用リーダライタ。
【発明の詳細な説明】
【技術分野】
【０００１】
本発明は、例えば飲料等の自動販売機に設けられる情報記憶媒体用リーダライタに関するものである。
【背景技術】
【０００２】
従来、この種の情報記憶媒体用リーダライタとして、自動販売機の主制御部との間で情報の送受信が可能に設けられ、所定の情報記憶媒体に記憶された電子マネー残高を読み書きすることにより電子マネーの決済処理を行うものが知られている。
【０００３】
この情報記憶媒体用リーダライタは、複数種の電子マネーの決済処理に対応する第１の通信方式と、所定の電子マネーの決済処理のみに対応する第２の通信方式とを用いて主制御部と通信を行うことができるように構成されている。また、情報記憶媒体用リーダライタには、各通信方式を切替えるための切替スイッチが設けられており、各通信方式は、主制御部が使用可能な通信方式に応じて切替えられるようになっている。
【特許文献１】特許第３８９１２１８号公報
【発明の開示】
【発明が解決しようとする課題】
【０００４】
しかしながら、前記従来例では、切替スイッチを用いて各通信方式を切替えるように構成されているので、通信方式を切替える際に人為的な操作が必要になる。この場合、誤った切替操作が行われる可能性があることから、主制御部との通信異常発生時には切替操作を改めて行う必要があり、運用における利便性に劣るおそれがあった。
【０００５】
本発明は前記問題点に鑑みてなされたものであり、その目的とするところは、通信方式を容易に切替えることの可能な情報記憶媒体用リーダライタを提供することにある。
【課題を解決するための手段】
【０００６】
本発明は、前記目的を達成するために、自動販売機の主制御部との間で情報の送受信が可能に設けられ、所定の情報記憶媒体に記憶された電子マネー残高を読み書きすることにより電子マネーの決済処理を行う情報記憶媒体用リーダライタにおいて、所定の通信方式を用いて通信を行うことを表す通信方式情報を主制御部に送信した後に、前記主制御部が該通信方式を用いて通信可能であるか否かを主制御部からの応答に基づき判別し、通信不可と判別した場合に通信方式を他の通信方式に切替える制御部を備えている。
【０００７】
これにより、主制御部が所定の通信方式を用いて通信を行うことができない場合には、該通信方式が他の通信方式に切替えられることから、通信方式を自動的に切替えることが可能となる。
【発明の効果】
【０００８】
本発明によれば、通信方式を自動的に切替えることができるので、通信方式を容易に切替えることができるとともに、人為的な切替操作を行う必要がないことから、運用における利便性を向上させることができる。また、本発明の情報記憶媒体用リーダライタには、通信方式を切替えるための手段を設ける必要がないことから、製造コストの低減を図ることができる。
【発明を実施するための最良の形態】
【０００９】
図１乃至図３は本発明の一実施形態を示すもので、図１は情報記憶媒体用リーダライタの斜視図、図２は情報記憶媒体用リーダライタの機能ブロック図、図３は制御部の動作を示すフロー図である。
【００１０】
本実施形態の情報記憶媒体用リーダライタ１０（以下、リーダライタ１０と称する。）は、自動販売機１に設けられ、電子マネー残高が記憶された情報記憶媒体としての周知の非接触ＩＣカード２０を検出すると、該電子マネー残高を読み書きすることにより電子マネーの決済処理を行う装置である。このリーダライタ１０は、第１の筐体１００及び第２の筐体２００と、各筐体１００，２００内にそれぞれ設けられた回路基板（図示省略）に接続されたワイヤーハーネス３００とから構成されている。なお、リーダライタ１０は、複数種の電子マネーの決済処理を行うように構成されているが、各電子マネーの決済処理の内容については、周知の処理内容と同様であるため詳細な説明を省略する。
【００１１】
自動販売機１は、周知の商品搬出機構、貨幣識別装置及び冷熱機器等の被制御装置と、被制御装置を制御する主制御部１ａとを備えている。また、主制御部１ａは、電子マネーの決済処理に用いられる決済額や決済履歴等の情報を、後述の第１又は第２の通信方式を用いてリーダライタ１０と送受信可能に構成されている。
【００１２】
第１の筐体１００は、自動販売機１の前面側に設けられた外扉の開口部に前方から取付可能に形成されており、前面部１０１、背面部１０２、上面部１０３、側面部１０４及び底面部１０５から構成されている。前面部１０１には、非接触ＩＣカード２０の形状に合わせて形成された読取面１０１ａと、決済処理に用いられる電子マネーサービスを切替えて選択するためのマネー切替ボタン１３０と、非接触ＩＣカード２０に記憶された電子マネー残高や操作案内等の文字情報を表示する表示部１４０とが図１に示すようなレイアウトで設けられている。読取面１０１ａの裏面には、非接触ＩＣカード２０との間でデータの送受信を行うためのループ状のアンテナ１２０が設けられている。そして、利用者が、マネー切替ボタン１３０を用いて電子マネーサービスを選択した後に非接触ＩＣカード２０を第１の筐体１００の前面部１０１にかざした際に非接触ＩＣカード２０が読取面１０１ａから所定範囲（例えば５センチメートル）内の位置に存在する場合には、アンテナ１２０と非接触ＩＣカード２０との間の非接触通信が可能になる。
【００１３】
次に、リーダライタ１０の制御系構成について図２を参照して説明する。第１の筐体１００には、ＲＦ回路部１１０と、アンテナ１２０と、マネー切替ボタン１３０と、表示部１４０とが設けられている。
【００１４】
ＲＦ回路部１１０は、非接触ＩＣカード２０との非接触通信をアンテナ１２０を介して行うためのものであって、周知のＡＤ／ＤＡ変換器及び整流回路等から構成されている。表示部１４０は、前述の文字情報等の他に、後述の制御部２３０と主制御部１ａの間の通信に用いられている通信方式を表示する。
【００１５】
第２の筐体２００には、コネクタ２１０と、記憶部２２０と、制御部２３０とが設けられており、制御部２３０には、上記各機器が接続されている。
【００１６】
コネクタ２１０は、日本自動販売機工業会（ＪＶＭＡ）インタフェース仕様に準拠したものであり、制御部２３０と主制御部１ａとの間の通信接続を可能にするためのインタフェース部として用いられるものである。
【００１７】
記憶部２２０はＥＥＰＲＯＭ等の書き換え可能な記憶素子であり、制御部２３０の制御に基づき各種情報を記憶する。記憶部２２０には、第１の通信方式情報２２１と、第２の通信方式情報２２２とが記憶されている。
【００１８】
第１の通信方式情報２２１は、複数種の電子マネーの決済処理に対応する第１の通信方式を用いて通信を行うことを表す所定長のバイトデータであり、本実施形態では、先頭バイトの上位４ビットの値が「３」となるように構成されている。第２の通信方式情報２２２は、所定の電子マネーの決済処理のみに対応する第２の通信方式を用いて通信を行うことを表す所定長のバイトデータであり、本実施形態では、先頭バイトの上位４ビットが「３」以外の値となるように構成されている。
【００１９】
なお、記憶部２２０には、複数の電子マネーサービスによる決済処理をそれぞれ実行するための複数の決済処理プログラム（図示省略）が記憶されており、利用者がマネー切替ボタン１３０を用いて電子マネーサービスを選択すると、選択された電子マネーサービスに対応する決済処理プログラムが制御部２３０の制御により実行される。
【００２０】
制御部２３０は、リーダライタ１０の全体を制御するためのものであり、ＣＰＵと、ＲＡＭ、ＲＯＭ等のメモリとを備えている。制御部２３０は、メモリに格納されたデータ及びプログラムに基づいて上記の各機器を制御するようになっている。また、制御部２３０には、第１の筐体１００のＲＦ回路部１１０、マネー切替ボタン１３０及び表示部１４０が、ワイヤーハーネス３００を介して接続されている。さらに、制御部２３０は、主制御部１ａによって使用されている通信方式に応じて第１又は第２の通信方式を切替えることにより、主制御部１ａと通信を行う。なお、主制御部１ａの通信方式を判別するときにおける制御部２３０の動作の詳細については後述する。
【００２１】
以上のように構成されたリーダライタ１０において、第１の筐体１００は、背面部１０２が自動販売機１の外扉の開口部に前方から嵌合するように取付けられる。また、第２の筐体２００は、自動販売機１内の所定位置に設けられており、各筐体１００，２００の回路基板はワイヤーハーネス３００によって相互接続されている。以下に、主制御部１ａの通信方式を判別する際の制御部２３０の動作について図３のフロー図を参照して説明する。
【００２２】
まず、リーダライタ１０に電源が投入されると（ステップＳ１）、制御部２３０は、第１の通信方式を用いた通信を開始する（ステップＳ２）。そして、制御部２３０は、第１の通信方式情報２２１を記憶部２２０から抽出し、該第１の通信方式情報２２１を含む応答要求信号を、コネクタ２１０を介して自動販売機１に送信する（ステップＳ３）。
【００２３】
一方、自動販売機１の主制御部１ａは、受信した応答要求信号に含まれる第１の通信方式情報２２１の先頭バイトのうち上位４ビットの値を抽出して、主制御部１ａが使用している通信方式と同じであるか否かを判別する。そして、主制御部１ａは、使用している通信方式が第１の通信方式である場合、即ち通信方式が同じであると判別した場合には、所定の応答信号をリーダライタ１０に送信する。また、主制御部１ａは、使用している通信方式が第２の通信方式である場合、即ち通信方式が異なると判別した場合には、応答信号をリーダライタ１０に送信しない。
【００２４】
次に、制御部２３０は、コネクタ２１０を介して自動販売機１から応答信号を受信すると（ステップＳ４）、第１の通信方式を用いて通信可能であると判別し、第１の通信方式を用いた通信を継続して行う（ステップＳ５）。また、制御部２３０は、第１の通信方式を用いて通信を行っていることを表示部１４０に表示させる（ステップＳ６）。
【００２５】
また、制御部２３０は、ステップＳ４において応答信号を受信しないまま所定時間（例えば１０秒間）経過した場合には（ステップＳ７）、通信方式を第２の通信方式に切替える（ステップＳ８）。そして、制御部２３０は、第２の通信方式情報２２２を記憶部２２０から抽出し、該第２の通信方式情報２２２を含む応答要求信号を、コネクタ２１０を介して自動販売機１に送信する（ステップＳ９）。この場合、主制御部１ａは、受信した応答要求信号に含まれる第２の通信方式情報２２２の先頭バイトのうち上位４ビットの値を抽出して、主制御部１ａが使用している通信方式と同じであることを判別すると、前記応答信号をリーダライタ１０に送信する。
【００２６】
次いで、制御部２３０は、コネクタ２１０を介して自動販売機１から応答信号を受信することにより第２の通信方式を用いて通信可能であると判別し、第２の通信方式を用いた通信を継続して行う（ステップＳ１０）。また、制御部２３０は、第２の通信方式を用いて通信を行っていることを表示部１４０に表示させる（ステップＳ１１）。
【００２７】
これにより、主制御部１ａが第１の通信方式を用いて通信を行うことができない場合には、通信方式が第２の通信方式に切替えられることから、通信方式を自動的に切替えることが可能となる。
【００２８】
以上のように、本実施形態のリーダライタ１０によれば、通信方式を自動的に切替えることができるので、通信方式を容易に切替えることができるとともに、人為的な切替操作を行う必要がないことから、運用における利便性を向上させることができる。また、リーダライタ１０には、通信方式を切替えるための手段、例えば切替スイッチ等を設ける必要がないことから、製造コストの低減を図ることができる。
【００２９】
また、制御部２３０は、電源が投入されると、第１の通信方式情報２２１を主制御部１ａに送信するので、主制御部１ａが使用可能な通信方式を電源投入直後に判別することができ、主制御部１ａとの通信を早期に確立することができる。
【００３０】
さらに、制御部は、第１の通信方式情報２２１を送信した後所定時間（例えば１０秒間）内に主制御部１ａからの応答が無い場合に、通信方式を第２の通信方式に切替えるので、主制御部１ａが第１の通信方式を使用可能であるか否かを容易に判別することができる。
【００３１】
さらにまた、制御部２３０と主制御部１ａの間の通信に用いられている通信方式を表示する表示部１４０を備えたので、制御部２３０と主制御部１ａの間の通信に用いられている通信方式を外部から容易に確認することができ、利便性を向上させることができる。
【００３２】
なお、上記実施形態は本発明の一具体例に過ぎず、本発明が上記実施形態のみに限定されることはない。例えば、前記実施形態では、主制御部１ａを、使用している通信方式が第２の通信方式である場合、即ち通信方式が異なると判別した場合には、応答信号をリーダライタ１０に送信しないように構成したものを示したが、通信方式が異なると判別した場合に所定の切替要求信号をリーダライタ１０に送信するように構成してもよい。一方、制御部２３０は、切替要求信号を受信すると、通信方式を第２の通信方式に切替える。これにより、制御部２３０は、第１の通信方式情報２２１を送信した後所定時間（例えば１０秒間）経過する場合よりも早期に通信方式を判別することができるので、通信方式の切替をより迅速に行うことが可能になる。
【図面の簡単な説明】
【００３３】
【図１】本発明の一実施形態を示す情報記憶媒体用リーダライタの斜視図
【図２】情報記憶媒体用リーダライタの機能ブロック図
【図３】制御部の動作を示すフロー図
【符号の説明】
【００３４】
１…自動販売機、１ａ…主制御部、１０…リーダライタ、２０…非接触ＩＣカード、１４０…表示部、２２０…記憶部、２２１…第１の通信方式情報、２２２…第２の通信方式情報、２３０…制御部
【図１】
2010122726.tif 000003
【図２】
2010122726.tif 000004
【図３】
2010122726.tif 000005